(57)【要約】      （修正有）【課題】コイルボビンのヨークへの取付の際の作業性を向上させ、ゴムブッシュを使用することに起因する不具合を解消する電磁連結装置を提供する。【解決手段】円筒状の周壁２ａを有するヨーク２と、このヨーク２の内周に装着されるコイルボビンと、このコイルボビンに巻回された励磁コイルと、この励磁コイルから周壁２ａを介してヨーク２の外部に引き出されるリード線３とを具備するものにおいて、ヨークの周壁２ａの縁部に切り欠き部７を設けるとともに、この切り欠き部７の切り欠き断面に切り欠き部７の開口を閉塞する閉塞部材を装着するための閉塞部材装着部８を設けて、リード線３の外周に弾性体である熱収縮性の絶縁チューブ４を外装し、リード線３が閉塞部材装着部８に熱収縮性の絶縁チューブ４を介して係合した状態でヨーク２の外部に引き出されるように構成した。【選択図】図１
2013122299.tif 000002
【特許請求の範囲】
【請求項１】
円筒状の周壁を有するヨークと、当該ヨークの内周に装着されるコイルボビンと、当該コイルボビンに巻回された励磁コイルと、当該励磁コイルから前記周壁を介してヨーク外に引き出されるリード線とを具備するものにおいて、
前記ヨークの周壁の縁部に切り欠き部を設けるとともに、当該切り欠き部の切り欠き断面に前記切り欠き部の開口を閉塞する閉塞部材を装着するための閉塞部材装着部を設けて、前記リード線の外周に弾性体を外装し、当該リード線が前記閉塞部材装着部に前記弾性体を介して係合した状態でヨーク外に引き出されていることを特徴とする電磁連結装置。
【請求項２】
前記切り欠き部もしくはその周辺に、当該切り欠き部の開口幅を狭める方向の狭窄部が設けられていることを特徴とする請求項１記載の電磁連結装置。
【発明の詳細な説明】
【技術分野】
【０００１】
本発明は電磁連結装置において、特にリード線引き出しに係る組立作業性の向上を図った電磁連結装置に関するものである。
【背景技術】
【０００２】
従来より、電磁連結装置に使用されるリード線の電磁連結装置のヨークからのリード線引き出し手段として、特許文献１にも開示されているような中空のゴムクロメットまたはゴムブッシュとも呼ばれる弾性体を用い、この弾性体の中にリード線を挿通し、これを電磁連結装置のヨークの貫通孔に圧入し、内部のリード線を断線等から保護するものが知られている。
【０００３】
図４はゴムブッシュ９０４の一例の模式的な平面図（ａ）と正面図（ｂ）である。図のように、ゴムブッシュ９０４は、略円筒状のもので、概略、主要部９０４ａとその端部のフランジ部９０４ｂから成り、その内部は略円筒の長手方向に中空部９０４ｃを有しており、ナイロン６６やポリアミドなどで一体成型されて作られている。
【０００４】
このゴムブッシュ９０４は、その中空部９０４ｃに図示しないリード線を挿通させ、外壁９０４ｄの側面をヨークの挿入孔に圧入させ、フランジ部９０４ｂを挿入孔と外壁９０４ｄの間隙を塞ぐように密着させることで、内部のリード線の保護や気密性を高める効果を発揮するものである。
【０００５】
図５はゴムブッシュ９０４を用いた従来の電磁連結装置９０１の一例を示した模式図で、図５（ａ）は図５（ｂ）に示される部分平面図のＢ−Ｂ矢視における部分断面図である。
【０００６】
電磁連結装置９０１において、励磁コイル９０６に接続されたリード線９０３をヨーク９０２の貫通孔９０２ａより、内側から外側に引き出して、ゴムブッシュ９０４にリード線９０３を挿通させ、ゴムブッシュ９０４を貫通孔９０２ａに圧入しつつ、コイルボビン９０５をヨーク９０２に取り付け、電磁連結装置９０１を組み立てる構造が知られている。
【先行技術文献】
【特許文献】
【０００７】
【特許文献１】特開２００３−１４１９５７公報
【発明の概要】
【発明が解決しようとする課題】
【０００８】
しかしながら、このようにリード線９０３を貫通孔９０２ａに挿通させる構造だと、電磁連結装置の小型化の要請でコイルボビン９０５とヨーク９０２の間隙が小さく構成されていることもあり、リード線９０３を貫通孔９０２ａに通しつつコイルボビン９０５をヨーク９０２に取り付ける作業は手間の掛かる作業であった。また、ゴムブッシュ９０４の材質によっては、耐薬品性が低く、劣化、欠損することがあった。
【０００９】
本発明は、このような問題を同時に解消し、コイルボビンのヨークへの取付の際の作業性を向上させ、ゴムブッシュを使用することに起因する不具合を解消する電磁連結装置を提供することを目的としている。
【課題を解決するための手段】
【００１０】
本発明は以上のような問題点を鑑み、次のような手段を講じたものである。
【００１１】
すなわち、本発明の電磁連結装置は、円筒状の周壁を有するヨークと、当該ヨークの内周に装着されるコイルボビンと、当該コイルボビンに巻回された励磁コイルと、当該励磁コイルから前記周壁を介してヨーク外に引き出されるリード線とを具備するものにおいて、前記ヨークの周壁の縁部に切り欠き部を設けるとともに、当該切り欠き部の切り欠き断面に前記切り欠き部の開口を閉塞する閉塞部材を装着するための閉塞部材装着部を設けて、前記リード線の外周に弾性体を外装し、当該リード線が前記閉塞部材装着部に前記弾性体を介して係合した状態でヨーク外に引き出されて構成する。
【００１２】
このようにすると、励磁コイルから外部へのリード線の引き出しのための貫通孔の替わりにヨークの周壁の縁部に切り欠き部を設け、この切り欠き部の外開口部と内開口部に挟まれる切り欠き断面に閉塞部材装着部を設けたので、ヨークへのコイルボビンの装着に伴ってリード線の切り欠き部への挿入を行うことができ、これによりリード線の外部への引き出しに係る作業性を著しく向上させることが可能になると同時に、外部の閉塞部材を閉塞部材装着部に装着したときに、外部からの塵、埃などが前記電磁連結装置内部へ混入するのを有効に防ぐことができる。
【００１３】
また、リード線は閉塞部材装着部に係合させている箇所で弾性体を外装しているので、ゴムブッシュを使用しなくてもリード線の保護が可能となる。
【００１４】
さらに、このような閉塞部材装着部を設けることによって、本実施形態における電磁連結装置を最終的に製品に組み込む際に閉塞部材を閉塞部材装着部に装着する位置を手掛かりにして円周方向の位置決めを行えるので、組込み作業が容易になるという利点も得られる。
【００１５】
加えて、外部からの塵、埃の混入をより一層防ぐためには、前記切り欠き部もしくはその周辺に、当該切り欠き部の開口幅を狭める方向の狭窄部が設けられていることが好ましい。
【発明の効果】
【００１６】
以上、説明した本発明によれば、ヨークにリード線の引き出しのための貫通孔の替わりにヨークの周壁の縁部に開口する切り欠き部を設け、さらに切り欠き部の外開口部と内開口部に挟まれる切り欠き断面に閉塞部材装着部を具備して構成したので、リード線の引き出しに係る作業性を著しく向上させることが可能となり、外部からの塵、埃などの電磁連結装置内部への混入を同時に解消し、さらに取付対象（適用対象）との間を連結する際の位置決めも閉塞部材装着部を利用して行えるようにした電磁連結装置を提供することが可能となる。
【図面の簡単な説明】
【００１７】
【図１】本発明の一実施形態に係る電磁連結装置の斜視図。
【図２】図１の電磁連結装置を部分断面矢視部分平面において模式的に示す説明図。
【図３】同電磁連結装置におけるヨークの切り欠き部を示す説明図。
【図４】ゴムブッシュの一例を平面および正面から示す模式的な説明図。
【図５】従来の電磁連結装置におけるヨークの貫通孔を部分断面および部分平面において模式的に示す説明図。
【発明を実施するための形態】
【００１８】
以下、本発明の一実施形態を、図面を参照して説明する。
【００１９】
図１は本実施形態に係る電磁連結装置１の斜視図で、図２（ａ）は図１のＡ−Ａ矢視における模式的な部分断面矢視図、図２（ｂ）は部分平面図である。
【００２０】
本実施形態の電磁連結装置１は、ヨーク２と、このヨーク２の内周に装着されるコイルボビン５（図２（ａ）参照）と、このコイルボビン５に巻回された励磁コイル６と、この励磁コイル６からヨーク２を介して引き出されるリード線３とを具備している。ヨーク２は有底円筒状のもので、中心に軸部２ｂを有し、この軸部２ｂと周壁２ａとの間に円環状の凹部２ｃを形成されている。一方、コイルボビン５は、コ字型の断面を有し外周側に開口が位置するように周回させたもので、このコイルボビン５が前記軸部２ｂの軸心方向に沿って凹部２ｃに装着される。リード線３はこの実施形態の場合２本である。
【００２１】
本実施形態においては、さらに、図１に示されるように、従来のヨーク９０２の貫通穴およびゴムブッシュ９０４の使用を廃止し、ヨーク２の周壁２ａの縁部に切り欠き部７を設けている。また、リード線３を保護するために本実施形態は２本のリード線３は外周を熱収縮性の絶縁チューブ４で被覆されている。そして、コイルボビン５がヨーク２に組み込まれた際には、外周を弾性体である熱収縮性の絶縁チューブ４で被覆されたリード線３が切り欠き部７の内方端に位置するように構成している。
【００２２】
図３（ｂ）、（ｃ）はそれぞれ図３（ａ）のＸ部の拡大斜視図および模式的な拡大正面図である。
【００２３】
これらの図に示されるように、ヨーク２の切り欠き部７の外開口部７ｏと内開口部７ｉに挟まれる切り欠き断面には、切り欠き部７の開口を閉塞して塵や埃などの混入を防止する閉塞部材１０ａ（図１における想像線参照）を外部から装着するための閉塞部材装着部８が設けられている。閉塞部材１０ａは、この電磁連結装置１の取付先（適用先）の一例であるカバー１０に付帯して設けられているもので、電磁連結装置１をカバー１０内に収容した際に閉塞部材１０ａが閉塞部材装着部８に装着される関係にある。前記切り欠き部７は、外開口部７ｏの方が内開口部７ｉよりも小さくなるように構成されている。
【００２４】
さらに、この閉塞部材装着部８は、切り欠き部７の外開口部７ｏと内開口部７ｉに平行な凸部８ａを具備している。これは、最終製品として使用に供する際に前述した外部の閉塞部材１０ａが係合溝１０ｂを有していることとの関係により、この係合溝１０ｂと凹凸係合して外部からの塵、埃などの電磁連結装置１の内部への混入を防止するための構造である。勿論、これに限らず、相手側の形状に有効に係合するように、この長手状の凸部８ａは、前述のものとは反対に凹状の溝であっても良いし、その他相手側の部材の形状に係合すれば良い。
【００２５】
さらにその上で、本実施形態においては、切り欠き部７の内方端に、切り欠き部７の切り欠き幅を狭める方向の略半楕円形状の狭窄部９を当該切り欠き部７の内方端に設けている。この狭窄部９の内周はリード線３を束ねた絶縁チューブ４の略半周分の外形形状に略対応している。
【００２６】
以上のように、本実施形態の電磁連結装置１は、円筒状の周壁２ａを有するヨーク２と、このヨーク２の内周に装着されるコイルボビン５と、このコイルボビン５に巻回された励磁コイル６と、この励磁コイル６から周壁２ａを介してヨーク２の外部に引き出されるリード線３とを具備するものにおいて、ヨーク２の周壁２ａの縁部に切り欠き部７を設けるとともに、この切り欠き部７の切り欠き断面に前記切り欠き部７の開口を閉塞する閉塞部材を装着するための閉塞部材装着部８を設けて、リード線３の外周には弾性体である熱収縮性の絶縁チューブ４を外装し、リード線３が閉塞部材装着部８に熱収縮性の絶縁チューブ４を介して係合した状態でヨーク２の外部に引き出されているものである。このように、貫通孔から切り欠き部７に替えることにより従来煩わしかったリード線３の外部への引き出しに係る作業をヨーク２へのコイルボビン５の装着に伴って行うことができ、作業性を著しく向上させることができると同時に、ゴムブッシュ９０４を使用することに起因する不具合、すなわち、ゴムブッシュ９０４の欠損により生じる間隙からの電磁連結装置１の内部への塵、埃などの混入も解消することが可能となる。リード線３は閉塞部材装着部８に係合させている箇所で弾性体である絶縁チューブ４を外装しているので、リード線３の保護も可能となる。さらに、このような閉塞部材装着部８を設けることによって、本実施形態における電磁連結装置１を最終的に製品に組み込む際の位置決めが容易となる。
【００２７】
また、閉塞部材装着部８には、切り欠き部７の開口幅を狭める方向の狭窄部９を設けたので、この狭窄部９が内方端において、弾性体である熱収縮性の絶縁チューブ４を被覆されたリード線３の形状により一層合うようになり、外部から閉塞部材１０が装着されたときに外部からの塵、埃のなどの電磁連結装置１の内部への混入をさらに防ぐことが可能となる。
【００２８】
以上、本発明の一実施形態について説明したが、各部の具体的な構成は、上述した実施形態のみに限定されるものではない。
【００２９】
例えば、本実施形態では、リード線３を保護する弾性体として熱収縮性の絶縁チューブ４を用いたが、これに限らず、使用環境に応じて他の弾性体の選択も可能である。
【００３０】
また、本実施形態においては、閉塞部材装着部８として凸部８ａを設けたが、これに限らず、波状のものや凹部でも良いし、使用環境によっては、単に長手状の段差があるだけのものでもよい。
【００３１】
さらに、本実施形態においては、略半楕円形状の狭窄部９を設けたが、この狭窄部９の形状は略半楕円形に限らず、リード線３または挿通すべきものとの間隙を小さくするものであれば変形可能である。
【００３２】
加えて、本実施形態においては、切り欠き部７の外開口部７ｏの方が内開口部７ｉよりも小さくなるように設けたが、閉塞部材装着部８に所望の効果を得られれば、外開口部７ｏと内開口部７ｉの大きさは同じ、または反対に外開口部７ｏの方が大きくても良い。
【００３３】
上記以外にも、各部の具体的な構成は、上述した実施形態のみに限定されるものではなく、本発明の趣旨を逸脱しない範囲で種々変形が可能である。
【符号の説明】
【００３４】
１・・・電磁連結装置
２・・・ヨーク
２ａ・・・周壁
３・・・リード線
４・・・弾性体（熱収縮性の絶縁チューブ）
５・・・コイルボビン
６・・・励磁コイル
７・・・切り欠き部
８・・・閉塞部材装着部
９・・・狭窄部
【図１】
2013122299.tif 000003
【図２】
2013122299.tif 000004
【図３】
2013122299.tif 000005
【図４】
2013122299.tif 000006
【図５】
2013122299.tif 000007